(57)【要約】      （修正有）【課題】ライブビューを行っている際に撮影動作に入るときには、シャッタチャージのみ行い、不必要な可動反射ミラーの駆動を行わないようにし、耳障りな音を減らしたライブビュー可能な一眼レフカメラを提供する。【解決手段】ライブビュー表示を行うにあたって、可動反射ミラーをアップ位置に駆動する（Ｔ００）と共にシャッタを開放状態に駆動し（Ｔ０１）、ライブビュー表示において撮影動作の指示があった際に（Ｔ１）、可動反射ミラーのアップ位置を保持したままシャッタのチャージ動作（Ｔ２）を行ってから露光時間の制御（Ｔ５〜Ｔ６）を行う。【選択図】  図１２
2007298741.tif 000002
【特許請求の範囲】
【請求項１】
モータと、
撮像素子と、
この撮像素子の前方に配置された撮影レンズからの被写体光を反射するための第１の位置と、上記撮影レンズからの被写体光を上記撮像素子に導くため上記撮影レンズの光路から退避した第２の位置とに移動可能な可動反射ミラーと、
上記撮像素子と上記可動反射ミラーの間に配置されたシャッタと、
このシャッタをチャージする第１の駆動手段と、
上記可動反射ミラーを駆動する第２の駆動手段と、
上記モータの一方向の回転により上記第１の駆動手段と上記第２の駆動手段を駆動し、上記モータの他方向の回転により上記第１の駆動手段のみを駆動する第３の駆動手段と、
を具備していることを特徴とするライブビュー可能な一眼レフカメラ。
【請求項２】
モータと、
撮像素子と、
撮影レンズにより結像された結像を観察する観察光学系と、
上記撮像素子の前方に配置され上記撮影レンズからの被写体光を反射して上記観察光学系に導くための第１の位置と、上記撮影レンズからの被写体光を上記撮像素子に導くため上記撮像素子と撮影レンズの間から退避した第２の位置とに移動可能な可動反射ミラーと、
上記撮像素子により撮像された画像を表示する画像表示画面と、
上記撮像素子と上記可動反射ミラーとの間に配置されたシャッタと、
このシャッタをチャージする第１の駆動手段と、
上記可動反射ミラーを駆動するための第２の駆動手段と、
上記モータの一方向の回転により上記第１の駆動手段と上記第２の駆動手段を駆動し、上記モータの他方向の回転により上記第１の駆動手段のみを駆動する第３の駆動手段と、
上記撮像素子からの画像を静止画として取得するためのレリーズ手段と、
このレリーズ手段に応答して、上記撮像素子による画像を上記画像表示画面に表示しているときは上記モータが他方向の回転をして上記第３の駆動手段により上記第１の駆動手段のみを駆動制御する制御手段と、
を具備することを特徴とするライブビュー可能な一眼レフカメラ。
【請求項３】
上記請求項１又は２に記載のライブビュー可能な一眼レフカメラにおいて、
上記第３の駆動手段は、遊星クラッチ機構を含むことを特徴とする。
【請求項４】
撮影レンズの撮影光路上の第１の位置と、この撮影光路上から退避した第２の位置とに移動可能な可動反射ミラーと、
上記撮影レンズの上記撮影光路上に配置され、上記撮影レンズによって結像される被写体像を受光し、光電変換信号を出力する撮像素子と、
この撮像素子と上記可動反射ミラーとの間に配置され、上記撮像素子上による上記被写体像の露光時間を制御するためのシャッタと、
上記光電変換信号に基づいて上記被写体像をライブビュー表示するための表示装置と、
上記ライブビュー表示を行うにあたって、上記可動反射ミラーを上記第２の位置に駆動すると共に上記シャッタを開放状態に駆動し、上記ライブビュー表示において撮影動作の指示があった際に、上記可動反射ミラーの上記第２の位置を保持したまま上記シャッタのチャージ動作を行ってから露光時間の制御を行う駆動制御手段と、
を具備したことを特徴とするライブビュー可能な一眼レフカメラ。
【請求項５】
上記可動反射ミラーは、上記第１の位置と上記第２の位置とに上記可動反射ミラーを駆動する反射ミラー駆動機構を有し、上記シャッタは、シャッタチャージを行うためのシャッタチャージ機構を有しており、上記駆動制御手段は、上記撮影動作の指示があった場合には、上記露光時間の制御を行う前に上記シャッタチャージ機構のみを駆動することを特徴とする請求項４に記載のライブビュー可能な一眼レフカメラ。
【請求項６】
上記駆動制御手段は、上記撮影動作の終了後には、シャッタチャージ機構のみを駆動した後にシャッタの開放動作を行わせ、上記ライブビュー表示を再開することを特徴とする請求項５に記載のライブビュー可能な一眼レフカメラ。
【請求項７】
撮像素子によって繰り返し取得した画像を表示装置に動画像としてライブビュー表示可能な一眼レフカメラにおいて、
撮影光路上に配置された可動反射ミラーを駆動する反射ミラー駆動機構と、
上記撮像素子への露光時間を制御するためのシャッタのチャージを行うシャッタチャージ機構と、
単一の駆動源と、
上記反射ミラー駆動機構および上記シャッタチャージ機構に対して、上記駆動源による駆動力の伝達を、上記両機構または上記シャッタチャージ機構のみに切り換える駆動力伝達切換機構と、
通常の撮影時には、上記可動反射ミラー駆動機構および上記シャッタチャージ機構の両方に上記駆動力伝達切換機構によって駆動力を伝達し、ライブビュー表示の際の撮影時には、上記駆動力伝達切換機構によって上記シャッタチャージ機構にのみ駆動力を伝達する駆動制御手段と、
を具備したことを特徴とするライブビュー可能な一眼レフカメラ。
【発明の詳細な説明】
【技術分野】
【０００１】
本発明は、ライブビュー表示機能を有する一眼レフカメラに関し、詳しくは、撮像素子で繰り返し取得した画像を表示装置に動画像として表示する所謂ライブビュー表示機能（スルー画表示機能、電子ファインダ機能とも言う）を有する一眼レフカメラに関する。
【背景技術】
【０００２】
従来のカメラにおいては、被写体像の観察は、光学式ファインダにより行っていたが、最近のコンパクトデジタルカメラは、光学式ファインダと共に、またはファインダ光学系を廃止し、撮像素子で取得した画像を連続的に液晶モニタ等の表示装置に表示するいわゆるライブビュー表示機能を有したものが多くなってきている。
【０００３】
このようなライブビュー表示機能は、例えば、パララックスが生じないためマクロ撮影時等に有効であり、このためデジタル一眼レフカメラに搭載した例も種々提案されている。例えば、光学ファインダ表示モードと電子ファインダ表示モードを選択可能とし、電子ファインダ表示モードが選択されたときには、可動ミラーを撮影光路から退避させるとともにフォーカルプレーンシャッタを全開状態にして被写体像を撮像素子に導き、それによって得られた被写体像を連続的に液晶モニタに表示するようにしたライブビュー可能なデジタル一眼レフカメラが提案されている（特許文献１）。
【特許文献１】特開２００２−３６９０４２号公報
【発明の開示】
【発明が解決しようとする課題】
【０００４】
ところで、この種のライブビュー機能を有する一眼レフカメラにおいては、シャッタチャージ動作と可動反射ミラーの撮影光路からの退避動作を一緒に行っていることから、この駆動に伴う音が発生している。撮影動作に入る際には撮像素子のスミアの発生を抑えるには、シャッタの閉じ動作が必要であるのに対して、可動反射ミラーは撮影光路から退避状態にあり、その状態を保持すればよいにも係わらず駆動しており、これに伴って発生する音が耳障りであった。
【０００５】
本発明は、このような事情を鑑みてなされたものであり、ライブビューを行っている際に撮影動作に入るときには、シャッタチャージのみ行い、不必要な可動反射ミラーの駆動を行わないようにし、耳障りな音を減らしたライブビュー可能な一眼レフカメラを提供することを目的とする。
【課題を解決するための手段】
【０００６】
上記目的を達成するため第１の発明に係わるライブビュー可能な一眼レフカメラは、モータと、撮像素子と、この撮像素子の前方に配置された撮影レンズからの被写体光反射するための第１の位置と、上記撮影レンズからの被写体光を上記撮像素子に導くため上記撮影レンズの光路から退避した第２の位置とに移動可能な可動反射ミラーと、上記撮像素子と上記可動反射ミラーの間に配置されたシャッタと、このシャッタをチャージする第１の駆動手段と、上記可動反射ミラーを駆動する第２の駆動手段と、上記モータの一方向の回転により上記第１の駆動手段と上記第２の駆動手段を駆動し、上記モータの他方向の回転により上記第１の駆動手段のみを駆動する第３の駆動手段を具備する。
【０００７】
また、上記目的を達成するため第２の発明に係わるライブビュー可能な一眼レフカメラは、モータと、撮像素子と、撮影レンズにより結像された結像を観察する観察光学系と、上記撮像素子の前方に配置され上記撮影レンズからの被写体光を反射して上記観察光学系に導くための第１の位置と、上記撮影レンズからの被写体光を上記撮像素子に導くため上記撮像素子と撮影レンズの間から退避した第２の位置とに移動可能な可動反射ミラーと、上記撮像素子により撮像された画像を表示する画像表示画面と、上記撮像素子と上記可動反射ミラーとの間に配置されたシャッタと、このシャッタをチャージする第１の駆動手段と、  上記可動反射ミラーを駆動するための第２の駆動手段と、上記第１の撮像素子からの画像を静止画として取得するためのレリーズ手段と、このレリーズ手段に応答して、上記撮像素子による画像を上記画像表示画面に表示しているときは上記モータが一方向の回転をして上記第３の駆動手段により上記第１の駆動手段のみを駆動制御する制御手段を具備する。
さらに、第３の発明に係わるライブビュー可能な一眼レフカメラは、上記第１または第２の発明において、上記第３の駆動手段は、遊星クラッチ機構を含む。
【０００８】
上記目的を達成するため第４の発明に係わるライブビュー可能な一眼レフカメラは、撮影レンズの撮影光路上の第１の位置と、この撮影光路上から退避した第２の位置とに移動可能な可動反射ミラーと、上記撮影レンズの上記撮影光路上に配置され、上記撮影レンズによって結像される被写体像を受光し、光電変換信号を出力する撮像素子と、この撮像素子と上記可動反射ミラーとの間に配置され、上記撮像素子による上記被写体像の露光時間を制御するためのシャッタと、上記光電変換信号に基づいて上記被写体像をライブビュー表示するための表示装置と、上記ライブビュー表示を行うにあたって、上記可動反射ミラーを上記第２の位置に駆動すると共に上記シャッタを開放状態に駆動し、上記ライブビュー表示において撮影動作の指示があった際に、上記可動反射ミラーの上記第２の位置を保持したまま上記シャッタのチャージ動作を行ってから露光時間の制御を行う駆動制御手段を具備する。
また、第５の発明に係わるライブビュー可能な一眼レフカメラは、上記第４の発明において、上記可動反射ミラーは、上記第１の位置と上記第２の位置とに上記可動反射ミラーを駆動する反射ミラー駆動機構を有し、上記シャッタは、シャッタチャージを行うためのシャッタチャージ機構を有しており、上記駆動制御手段は、上記撮影動作の指示があった場合には、上記露光時間の制御を行う前に上記シャッタチャージ機構のみを駆動する。
さらに、第６の発明に係わるライブビュー可能な一眼レフカメラは、上記第５の発明において、上記駆動制御手段は、上記撮影動作の終了後には、シャッタチャージ機構のみを駆動した後にシャッタの開放動作を行わせ、上記ライブビュー表示を再開する。
【０００９】
上記目的を達成するため第７の発明に係わるライブビュー可能な一眼レフカメラは、撮像素子によって繰り返し取得した画像を表示装置に動画像としてライブビュー表示可能な一眼レフカメラにおいて、撮影光路上に配置された可動反射ミラーを駆動する反射ミラー駆動機構と、上記撮像素子への露光時間を制御するためのシャッタのチャージを行うシャッタチャージ機構と、単一の駆動源と、上記反射ミラー駆動機構および上記シャッタチャージ機構に対して、上記駆動源による駆動力の伝達を、上記両機構または上記シャッタチャージ機構のみに切り換える駆動力伝達切換機構と、通常の撮影時には、上記可動反射ミラー駆動機構および上記シャッタチャージ機構の両方に駆動力伝達切換機構によって駆動力を伝達し、ライブビュー表示の際の撮影時には、上記シャッタチャージ機構にのみ駆動力伝達切換機構によって駆動力を伝達する駆動制御手段を具備する。
【発明の効果】
【００１０】
本発明のライブビュー可能な一眼レフカメラは、モータの一方向の回転によりシャッタをチャージする第１の駆動手段と可動反射ミラーを駆動する第２の駆動手段を駆動し、モータの他方向の回転により第１の駆動手段のみを駆動するようにしたので、ライブビューを行っている際に撮影動作に入るときには、シャッタチャージのみ行い、不必要な可動反射ミラーの駆動を行わないようにし、耳障りな音を減らしたライブビュー可能な一眼レフカメラを提供することができる。また、ライブビュー表示において撮影動作の指示があった際に、上記可動反射ミラーが撮影光路からの退避を保持したままシャッタのチャージ動作を行ってから露光時間の制御を行う駆動制御手段を設けたので、耳障りな音を減らしたライブビュー可能な一眼レフカメラを提供することができる。
【発明を実施するための最良の形態】
【００１１】
以下、図面に従って本発明を適用したデジタル一眼レフカメラを用いて好ましい一実施形態について説明する。図１は、本発明の実施形態に係るデジタル一眼レフカメラについて背面からみた外観斜視図である。
カメラ本体２００の上面にはレリーズ釦２１、モードダイヤル２２、コントロールダイヤル２４等が配置されている。レリーズ釦２１は、撮影者が半押しするとオンする第１レリーズスイッチと、全押しするとオンする第２レリーズスイッチを有している。この第１レリーズスイッチ（以下、１Ｒと称する）のオンによりカメラは焦点検出、撮影レンズのピントあわせ、被写体輝度の測光等の撮影準備動作を行い、第２レリーズスイッチ（以下、２Ｒと称する）のオンにより撮像素子としてのＣＣＤ（Charge Coupled Devices）２２１（図６参照）の出力に基づいて被写体像の画像データの取り込みを行う撮影動作を実行する。
【００１２】
モードダイヤル２２は回転可能に構成された操作部材であり、モードダイヤル２２上に設けられた撮影モードを表す絵表示または記号を指標に合致させることにより、フルオート撮影モード、プログラム撮影モード、絞り優先撮影モード、シャッタ撮影優先モード、マニュアル撮影モード、ポートレート撮影モード、風景撮影モード、マクロ撮影モード、スポーツ撮影モード、夜景撮影モードの各撮影モードを選択することができる。コントロールダイヤル２４は、シャッタ速度、絞り値、ＩＳＯ感度、補正値等の撮影情報の設定を行うための操作部材であり、回転操作により種々の設定値の変更を行うことができる。
【００１３】
カメラ本体２００の背面には、液晶モニタ２６、再生釦２７、メニュー釦２８、アップ用十字釦３０Ｕ、ダウン用十字釦３０Ｄ、右用十字釦３０Ｒ、左用十字釦３０Ｌ（これらの各十字釦３０Ｕ、３０Ｄ、３０Ｒ、３０Ｌを総称する際には、十字釦３０と称する）、OK釦３１、表示切換釦３４、プレビュー釦３６が配置されている。液晶モニタ２６は、ライブビューを表示し、撮影済みの被写体像を再生表示し、また、撮影条件やメニューを表示するための表示装置である。これらの表示を行うことができるものであれば、液晶に限らない。再生釦２７は、撮影後に記録した被写体画像を液晶モニタ２６に表示させることを指示するための操作釦である。後述するＳＤＲＡＭ２３７、記録媒体２４５にＪＰＥＧ等の圧縮モードで記憶されている被写体の画像データを伸張して表示する。
【００１４】
十字釦３０は液晶モニタ２６上で、Ｘ方向とＹ方向の２次元方向にカーソルの移動を指示するための操作部材である。なお、アップ、ダウン、左、右用の４つの釦を設ける以外にも、タッチスイッチのように２次元上で操作方向を検出できるスイッチ等の２次元方向に操作できるスイッチに置き換えることも可能である。ＯＫ釦３１は、十字釦３０やコントロールダイヤル２４等によって選択された各種項目を確定するための操作部材である。メニュー釦２８は、このデジタルカメラの各種モードを設定するためのメニューモードに切換えるための釦であり、このメニュー釦２８の操作によってメニューモードを選択すると、液晶モニタ２６にメニュー画面が表示される。メニュー画面は複数の階層構造となっており、十字釦３０で各種項目を選択し、ＯＫ釦３１の操作により選択を決定する。プレビュー釦３６は、被写体像の観察時に焦点深度を確認するために、撮影レンズの絞りを開放状態から絞り込むための指令を出すための操作釦である。
【００１５】
接眼部３３は、ファインダ光学系の接眼部であって、撮影者はこの接眼部３３を覗いて被写体像の確認を行うことができる。表示切換釦３４は、後述するライブビュー表示と情報表示とを切り換えるための操作釦であって、ライブビュー表示は、被写体像記録用のＣＣＤ２２１の出力に基づいて液晶モニタ２６に被写体像を観察用に表示するモードであり、情報表示はカメラの撮影情報を表示設定するために液晶モニタ２６に表示されるモードである。
【００１６】
カメラ本体２００の側面には、記録媒体収納蓋４０が開閉自在に取り付けられている。この記録媒体収納蓋４０を開放すると、この内部に記録媒体２４５用の装填スロットが設けられており、記録媒体２４５はカメラ本体２００に対して、脱着自在に装填可能となっている。また、レンズ鏡筒１００にはピント合わせ用の手動操作環１１が設けられている。この手動操作環１１は、パワーフォーカス（ＰＦと称す場合もある）用の操作環であって、撮影者によって手動で回転操作されると、回転方向、回転速度、回動操作量等に応じて撮影レンズがモータ駆動され、焦点調節レンズの繰り出しや繰り込みが行われる。
【００１７】
図２は、本発明の実施形態に係わるデジタル一眼レフレックスカメラの内部機構の概略構成を示すブロック図である。図２（Ａ）は撮影レンズの光軸方向に沿った内部構成図であり、図２（Ｂ）はカメラ本体２００の正面方向からみた内部構成図である。
レンズ鏡筒１００の内部に配置された撮影レンズ１０１（図６参照）の光軸上であって、カメラ本体２００のミラーボックス内に可動反射ミラー２０１が配置されている。この可動反射ミラー２０１は、被写体光束をファインダ光学系（例えば、ペンタプリズム２０７等）に反射するために撮影レンズ１０１の光軸に対して４５度傾いた位置と、被写体像を撮像素子(後述のＣＣＤ（Charge Coupled Device）２２１)に導くために、撮影光路から退避した位置とに回動可能となっている。可動反射ミラー２０１の回動軸は図２（Ａ）の紙面に対して垂直方向に沿っている。この可動反射ミラー２０１によって、上方に被写体光束を全反射する。なお、本実施形態では、上方に全反射しているが、これに限らず、カメラ本体の右方でも左方でも、被写体光束の反射方向は機構部材や光学部材の配置上、最も適切になるように選択してよい。また、光路変更部材として、可動ミラーを使用しているが、これに限らず、透過状態と反射状態を電気的に切換可能な液晶ミラー等、光路を変更できる部材であればよい。
【００１８】
可動反射ミラー２０１の反射光軸上にフォーカシングスクリーン２０５が配置されており、これは撮影レンズ１０１による被写体光束を結像させるためのマット面であり、可動反射ミラー２０１からの距離がＣＣＤ２２１と等価な位置に配設されている。フォーカシングスクリーン２０５の上方には、被写体像を左右反転させるためのペンタプリズム２０７が配置されている。
【００１９】
上述の可動反射ミラー２０１の中央付近はハーフミラーで構成されており、この可動反射ミラー２０１の背面には、ハーフミラー部を透過した被写体光束を反射する測距用のサブミラー２０３が設けられている。このサブミラー２０３は、可動反射ミラー２０１に対して回動可能であり、可動反射ミラー２０１が撮影光路から退避し、被写体光束がＣＣＤ２２１に入射しているときには、ハーフミラー部を覆う位置に回動し、可動反射ミラー２０１が図示の如き被写体像観察位置にあるときには、可動反射ミラー２０１に対して垂直となる位置にある。この可動反射ミラー２０１はシャッタ・ミラー駆動ユニット３０３によって駆動されている。また、サブミラー２０３の反射光路上に測距用センサを含むＴＴＬ位相差方式の測距回路２１７（図６参照）を含む測距ユニット２１８が配置されており、測距ユニット２１８によって、撮影レンズによって結像される被写体像の焦点ズレ量を検出する。
【００２０】
可動反射ミラー２０１の後方には、露光時間制御用のフォーカルプレーンタイプのシャッタ２１３が配置されており、このシャッタ２１３はシャッタ駆動機構２１５（図６）を含むシャッタ制御部２１３ａとシャッタ・ミラー駆動ユニット３０３によって駆動制御される。シャッタ２１３の後方には撮像素子としてのＣＣＤ２２１が配置されており、撮影レンズによって結像される被写体像を電気信号に光電変換する。なお、本実施形態では撮像素子としてＣＣＤを用いているが、これに限らずＣＭＯＳ（Complementary Metal Oxide
Semiconductor）等の二次元撮像素子を使用できることはいうまでもない。
【００２１】
カメラ本体２００の正面から見て左側には、カメラ本体の全体に電源を供給するためのバッテリ３０５が配置されている。また本体の右側には、後述するように、シャッタ２１３と可動反射ミラー２０１の駆動源となるミラーシャッタ（以下「ＭＳ」と略す）モータ３０１が配置され、このＭＳモータ３０１の駆動源を伝達するためのシャッタ・ミラー駆動ユニット３０３がＭＳモータ３０１の駆動軸と係合するように、ＭＳモータ３０１の下側に配置されている。また、可動反射ミラー２０１の脇には、シャッタ２１３の駆動制御を行うためのシャッタ制御部２１３ａが配置されている。
【００２２】
次に、図３乃至図５を用いて可動反射ミラー２０１とシャッタ２１３の駆動制御機構について説明する。
図３（Ａ）はシャッタ・ミラー駆動ユニット３０３の部分詳細を示す図である。ＭＳモータ３０１の駆動軸はギア３０９と一体化されており、このギア３０９はギア３１１に噛合している。そして、ギア３１１は、メインギア３１３に噛合しており、このメインギア３１３の回転中心には、一体化された一対のアームからなるＶ字状のキャリア３１５が軸支されている。このキャリア３１５の一方のアーム３１５ａの先端には遊星ギア３１７が回転自在に軸支されており、他方のアーム３１５ｂの先端には遊星ギア３２３が回転自在に軸支されている。遊星ギア３１７はギア３１９に噛合可能であり、このギア３１９はギア３２１に噛合している。このギア３２１は後述するミラーアップダウン機構（図５参照）に駆動力を伝達する。
【００２３】
前述の遊星ギア３２３はギア３２５に噛合可能であり、ギア３２５、ギア３２７、ギア３２９、ギア３３１およびギア３３３はそれぞれ隣り合うギア同士で噛合している。ギア３３３は後述するシャッタチャージ機構（図５参照）に駆動力を伝達する。キャリア３１５の２つの腕部分のなす角度は、メインギア３１３が時計方向（ＣＷ）に回転したときに（図中Ａ方向）、遊星ギア３１７はギア３１９に噛合すると共に、遊星ギア３２３はギア３２５に噛合するような角度に構成されている。また、メインギア３１５が反時計方向（ＣＣＷ）に回転したときに（図中Ｂ方向）、遊星ギア３２３はギア３３１に噛合し、遊星ギア３１７はギア３１９から噛合が外れ、いずれのギアにも噛合しなくなるよう、ギア３１９、ギア３２５およびギア３３１は位置決めされている。なお、ＭＳモータ３０１の駆動方向と駆動力の伝達先は、図３（Ｂ）に示すように、ＭＳモータ３０１が時計方向（ＣＷ）に回転すると、メインギア３１３は図中Ａ方向に回転し、ギア３２１によってミラーアップ・ダウン機構とギア３３３によってシャッタチャージ機構に駆動力が伝達される。また、ＭＳモータ３０１が反時計方向（ＣＣＷ）に回転すると、メインギア３１３がＢ方向に回転し、ギア３３３によってシャッタチャージ機構のみに駆動力が伝達される。
【００２４】
図４は、前述のＭＳモータ３０１の駆動力が伝達されるシャッタ・ミラー駆動ユニット３０３の分解斜視図である。前述のギア３２１から駆動力を受けるギア３６３を介して、カムギア３５７にＭＳモータ３０１の駆動力が伝達される。このカムギア３５７にはミラーチャージカム３５３が固設されており、このミラーチャージカム３５３にはミラー系チャージレバー３５１の一端が係接している。このミラー系チャージレバー３５１の他端はミラー駆動レバー３４１と係接している。ミラー駆動レバー３４１は、ミラー系チャージレバー３５１を時計方向に回動させる向きにバネ付勢されているので（図５参照）、ミラー系チャージレバー３５１の一端はミラーチャージカム３５３に対して圧接することになる。したがって、カムギア３５７の回動に伴って、これと一体のミラーチャージカム３５３を回動させ、このミラーチャージカム３５３のカム面に圧接しているミラー系チャージレバー３５１は回動する。
【００２５】
前述のギア３３３から駆動力を受けるギア３６５を介して、カムギア３５９にＭＳモータ３０１の駆動力が伝達される。このカムギア３５９にはシャッタチャージカム３５５が固設されており、このシャッタチャージカム３５５にはシャッタチャージレバー３６１の一端が係接している。このシャッタチャージレバー３６１の他端はシャッタセットレバー２３１ｂと係接している。したがって、カムギア３５９の回動に伴って、これと一体のシャッタチャージカム３５５を回動し、このシャッタチャージカム３５５のカム面に係接しているシャッタチャージレバー３６１は回動し、シャッタセットレバー２１３ｂも回動する。なお、前述のカムギア３５７とカムギア３５９は同軸に構成されているが、干渉されることなく、互いに自由に回動が可能となっている。また、図示しないが、ミラーチャージカム３５３もしくはこれと一体に駆動される部材にミラーアップフォトインタラプタ（ＭＵ  Ｐｉ）が設けられており、ミラーチャージカム３５３の位置を検出している。同様に、シャッタチャージカム３５５若しくはこれと一体に駆動される部材にシャッタチャージフォトインタラプタ（ＳＣ  Ｐｉ）が設けられており、シャッタチャージカム３５５の位置を検出している。なお、シャッタチャージカム３５５、ミラーチャージカム３５３ともに、回転の軸から半径方向にその周面が変化するように形成されたカムである。
【００２６】
図５はシャッタと可動反射ミラーを示す図であって、（Ａ）はシャッタ２１３の斜視図であり、（Ｂ）はシャッタ２１３の正面図、（Ｃ）はミラーの斜視図、（Ｄ）は可動反射ミラー２０１のミラーダウン状態を示し、（Ｅ）はミラーアップ状態を示す図である。図５（Ａ）に示すように、シャッタ２１３の側部にはシャッタ制御部２１３ａが配置されており、このシャッタ制御部２１３ａの下部には、シャッタセットレバー２１３ｂが突出している。そして、このシャッタセットレバー２１３ｂは初期状態では、図５（Ｂ）の斜線の位置（ア）の位置にあり、シャッタチャージ完了状態では、図５（Ｂ）の実線の位置（イ）の位置に移動する。
【００２７】
可動反射ミラー２０１は、ダウン状態では、図５（Ｃ）に示すように、サブミラー２０３は可動反射ミラー２０１に対して直交する位置に回動している。可動反射ミラー２０１の回動軸側には、図５（Ｄ）に示すように、ミラーダウンバネ３４５が設けられており、このミラーダウンバネ３４５によって図中の反時計方向、すなわちダウン方向に可動反射ミラー２０１は付勢されている。このミラーダウンバネ３４５によって付勢された可動反射ミラー２０１は位置規制ピン３４９によって、撮影光路に対して４５度の位置に規制されている。ミラー駆動レバー３４１はＬ字状形状をしており、ミラー駆動バネ３４３によって反時計方向、すなわちアップ方向に付勢されている。ミラー駆動レバー３４１の一端は、可動反射ミラー２０１に固設された係合ピン３４７に係合している。なお、ミラー駆動バネ３４３のバネ力の方が、ミラーダウンバネ３４５のバネ力よりも常時強く構成されている。
【００２８】
ミラーダウン状態では、ミラー駆動レバー３４１は、ミラー系チャージレバー３５１によって、ミラー駆動バネ３４３の付勢力に抗して時計方向に回動し、図５（Ｄ）に示す位置にある。この状態で、ミラー駆動レバー３４１を係止しているミラー系チャージレバー３５１が図中右方に移動すると、ミラー駆動レバー３４１はミラー駆動バネ３４３の付勢力によって反時計方向に回動する。この回動に伴って、係合ピン３４７を介して、可動反射ミラー２０１はダウン位置からアップ位置に回動し、図５（Ｅ）に示す状態になる。
【００２９】
以上のようにシャッタ２１３と反射ミラー２０１の駆動機構が構成されているので、ＭＳモータ３０１が時計方向（ＣＷ）に回転すると、ギア３２１を介してミラーチャージカム３５３が回動する。この回動によって、ミラー系チャージレバー３５１が、図５（Ｄ）に示す位置から図５（Ｅ）に示す位置に移動することによって、ミラー駆動バネ３４３の付勢力でもって可動反射ミラー２０１はミラーアップ（上昇）位置に回動する。このミラーアップ状態で、ＭＳモータ３０１がさらに時計方向（ＣＷ）に回転すると、ギア３２１を介してミラーチャージカム３５３が回動し、ミラー系チャージレバー３５１が、図５（Ｅ）に示す位置から図５（Ｄ）に示す位置まで、ミラー駆動バネ３４３をチャージしながら移動する。一方、ＭＳモータ３０１が反時計方向（ＣＣＷ）に回転すると、キャリア３１５は反時計方向に回動するため、遊星ギア３１７とギア３１９の噛合が解除される。しかし、ギア３１９からギア３５７までのギア比は充分高いのでギア３２１は回動せず、ミラー系チャージレバー３５１が移動することはない。
【００３０】
また、ＭＳモータ３０１が時計方向（ＣＷ）に回転すると、ギア３３３を介してシャッタチャージカム３５５が回動する。この回動によって、シャッタセットレバー２１３ｂが、図５（Ｂ）の（ア）に示す位置から図５（Ｂ）の（イ）に示す位置に移動し、シャッタチャージ状態となる。このシャッタチャージ状態で、ＭＳモータ３０１が更に時計方向（ＣＷ）に回転すると、ギア３３３を介してシャッタチャージカム３５５が回動し、シャッタセットレバー２１３ｂが、図５（Ｂ）の（イ）に示す位置から図５（Ｂ）の（ア）に示す位置に戻る。この状態で、シャッタ幕を保持するマグネット（Ｍｇ）の通電を解除することにより、シャッタ幕は走行を開始することができる。一方、ＭＳモータ３０１が反時計方向（ＣＣＷ）に回転すると、キャリア３１５は反時計方向に回動することによって、遊星ギア３２３とギア３２５の噛合は外れ、遊星ギア３２３とギア３３１とが噛合する。このためＭＳモータの駆動力はギア３３３を介してシャッタチャージ機構に伝達され、前述と同様にしてシャッタチャージを行うことができる。
【００３１】
以上の如く、本実施形態においては、ＭＳモータ３０１が一方向（時計方向）に回転すると、ミラーのアップとダウンが行われると共に、シャッタチャージが行われる。逆にＭＳモータ３０１が他方向（反時計方向）に回転すると、ミラーのアップとダウンは行われず、シャッタチャージのみが行われるよう構成されている。
【００３２】
次に、図６を用いて、デジタル一眼レフカメラの電気系を主とする全体構成を説明する。本実施形態に係わるデジタル一眼レフカメラは、前述したように、交換レンズ１００とカメラ本体２００は別体で構成されており、両者は通信接点３００にて電気的に接続されている。なお、交換レンズ１００とカメラ本体２００を一体に構成することも可能である。
【００３３】
交換レンズ１００の内部には、焦点調節および焦点距離調節用のレンズ１０１、１０２と、開口量を調節するための絞り１０３が配置されている。レンズ１０１およびレンズ１０２はレンズ駆動機構１０７によって駆動され、絞り１０３は絞り駆動機構１０９によって駆動されるよう接続されている。レンズ駆動機構１０７、絞り駆動機構１０９はそれぞれレンズＣＰＵ１１１に接続されており、このレンズＣＰＵ１１１は通信接点３００を介してカメラ本体２００に接続されている。レンズＣＰＵ１１１は交換レンズ１００内の制御を行うものであり、レンズ駆動機構１０７を制御してピント合わせや、ズーム駆動を行うとともに、絞り駆動機構１０９を制御して絞り値制御を行う。
【００３４】
カメラ本体２００内には、前述したように可動反射ミラー２０１、サブミラー２０３、フォーカシングスクリーン２０５、ペンタプリズム２０７が配置されている。可動反射ミラー２０１はミラー駆動機構２１９によって駆動されている。ペンタプリズム２０７の出射側には被写体像観察用の接眼レンズ２０９が配置され、この脇であって被写体像の観察に邪魔にならない位置に測光センサ２１１が配置されている。この測光センサ２１１は被写体像を分割して測光する多分割測光素子で構成されている。
【００３５】
また、上述したように、可動ミラー２０１の背面にはサブミラー２０３が設けられており、このサブミラー２０３の反射方向に測距回路２１７が配置されている。さらに、可動ミラー２０１の後方には、シャッタ２１３が配置されており、このシャッタ２１３はシャッタ駆動機構２１５によって駆動制御される。また、シャッタ２１３の後方には撮像素子としてのＣＣＤ２２１が配置されており、レンズ１０１、１０２によって結像される被写体像を電気信号に光電変換する。ＣＣＤ２２１はＣＣＤ駆動回路２２３に接続され、このＣＣＤ駆動回路２２３によってアナログデジタル変換（ＡＤ変換）がなされる。ＣＣＤ駆動回路２２３はＣＣＤインターフェース２２５を介して画像処理回路２２７に接続されている。この画像処理回路２２７は色補正、ガンマ(γ)補正、コントラスト補正といった各種の画像処理を行う。また、液晶モニタ２６におけるライブビュー表示用の画像データの生成も行う。
【００３６】
画像処理回路２２７は、ＡＳＩＣ（Application Specific Integrated
Circuit 特定用途向け集積回路）２７１内のデータバス２６１に接続されている。このデータバス２６１には、画像処理回路２２７の他、ボディＣＰＵ２２９、圧縮回路２３１、フラッシュメモリ制御回路２３３、ＳＤＲＡＭ制御回路２３６、入出力回路２３９、通信回路２４１、記録媒体制御回路２４３、ビデオ信号出力回路２４７、スイッチ検出回路２５３が接続されている。
【００３７】
データバス２６１に接続されているボディＣＰＵ２２９は、このデジタル一眼レフカメラのフローを制御するものである。またデータバス２６１に接続されている圧縮回路２３１はＳＤＲＡＭ２３７に記憶された画像データをＪＰＥＧやＴＩＦＦで圧縮するための回路である。なお、画像圧縮はＪＰＥＧやＴＩＦＦに限らず、他の圧縮方法も適用できる。データバス２６１に接続されているフラッシュメモリ制御回路２３３は、フラッシュメモリ（Flash Memory）２３５に接続され、このフラッシュメモリ２３５は、一眼レフカメラのフローを制御するためのプログラムが記憶されており、ボディＣＰＵ２２９はこのフラッシュメモリ２３５に記憶されたプログラムに従ってデジタル一眼レフカメラの制御を行う。なお、フラッシュメモリ２３５は、電気的に書換可能な不揮発性メモリである。ＳＤＲＡＭ２３７は、ＳＤＲＡＭ制御回路２３６を介してデータバス２６１に接続されており、このＳＤＲＡＭ２３７は、画像処理回路２２７によって画像処理された画像データまたは圧縮回路２３１によって圧縮された画像データを一時的に記憶するためのバッファメモリである。
【００３８】
上述の測光センサ２１１、シャッタ駆動機構２１５、測距回路２１７およびミラー駆動機構２１９に接続される入出力回路２３９は、データバス２６１を介してボディＣＰＵ２２９等の各回路とデータの入出力を制御する。レンズＣＰＵ１１１と通信接点３００を介して接続された通信回路２４１は、データバス２６１に接続され、ボディＣＰＵ２２９等とのデータのやりとりや制御命令の通信を行う。データバス２６１に接続された記録媒体制御回路２４３は、記録媒体２４５に接続され、この記録媒体２４５への画像データ等の記録の制御を行う。記録媒体２４５は、ｘDピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２００に対して着脱自在となっている。その他、通信接点を介してハードディスクを接続可能に構成してもよい。
【００３９】
データバス２６１に接続されたビデオ信号出力回路２４７は液晶モニタ駆動回路２４９を介して液晶モニタ２６に接続される。ビデオ信号出力回路２４７は、ＳＤＲＡＭ２３７、記録媒体２４５に記憶された画像データを、液晶モニタ２６に表示するためのビデオ信号に変換するための回路である。液晶モニタ２６はカメラ本体２００の背面に配置されるが、撮影者が観察できる位置であれば、背面に限らないし、また液晶に限らず他の表示装置でも構わない。シャッタレリーズ釦の第1ストロークや第２ストロークを検出するスイッチ、再生モードを指示するスイッチ、液晶モニタ２６の画面でカーソルの動きを指示するするスイッチ、撮影モードを指示するスイッチ、選択された各モード等を決定するＯＫスイッチ等の各種スイッチ２５５は、スイッチ検出回路２５３を介してデータバス２６１に接続されている。
【００４０】
次に、図７を用いて、本実施形態におけるデジタル一眼レフカメラの表示・動作モードの階層構造を説明する。
主要な表示・動作モードは、情報表示Ｍ１００とライブビュー表示Ｍ３００の２種類である。情報表示Ｍ１００は、カメラ本体２００が電源オンとなった状態で初期設定されている。この情報表示モードは、カメラの撮影にあたって基本的な情報の表示を行うものであって、液晶モニタ２６に、撮影モード、シャッタスピード、絞り、ＡＦモード、フラッシュ、画素数等の情報表示の画面が表示される。プログラムモード、シャッタ速度優先モードといった撮影モードはモードダイヤル２２の回動操作によって設定される。また、感度、シャッタ速度、絞り値、補正値、画素数といった項目は、情報表示画面において十字キー３０を操作することによって項目を選択し、コントロールダイヤル２４の操作で数値を設定する。
【００４１】
ライブビュー表示Ｍ３００は、可動反射ミラー２０１を撮影光路から退避させ、シャッタ２１３を開放状態として、直接、被写体光束をＣＣＤ２２１上に結像させ、この被写体像を光電変換信号に変換し、この信号に基づいて観察用の被写体像を液晶モニタ２６に表示するモードである。このモードでは、被写体光束を直接ＣＣＤ２２１で受光することから、ＣＣＤ２２１に到達する光量の減少を防止でき、低輝度の被写体に対しても被写体像を十分表示することができる。なお、ライブビュー表示Ｍ３００においては、本来、オートフォーカスは不作動となっている。すなわち、可動反射ミラー２０１が退避してしまうことから測距回路２１７は不作動となり、この場合のピント合わせは手動で行う。液晶モニタ２６の画面左下にライブビュー表示であることを示すために、図１５（Ｂ）に示すように、「ＬＶ」（符号４０７参照）が表示されている。また、このモードでは測距回路２１７による測距は不能であるので、図１５（Ａ）に示す情報表示モードでの光学ファインダでの表示とは異なり、ＡＦフレーム４０３は表示されない。なお、ライブビュー表示を示すための符号は、「ＬＶ」に限らず、「Ｂ」「ＣＣＤ」「ファインダ内ＣＣＤ」等、記号、文字、絵文字等でも良いことは勿論である。
【００４２】
カメラ本体２００を電源オンとしたときには、情報表示Ｍ１００が初期設定される。この情報表示Ｍ１００からライブビュー表示Ｍ３００への切換は表示切換釦３４を操作することによって行われる。情報表示Ｍ１００で表示切換釦３４を操作すると、ライブビュー表示Ｍ３００に切換えられ、ライブビュー表示Ｍ３００で表示切換釦３４を操作すると情報表示Ｍ１００に戻る。ここで、ライブビュー表示Ｍ３００に設定されていたことは不図示の不揮発性メモリに記憶されているので、カメラ本体２００の電源がオフされたとしても、記憶が保持される。ただし、電源のオンに応じて、情報表示かライブビュー表示のいずれかにリセットするようにしても良いことは勿論である。なお、特殊なケースとして、レンズ鏡筒１００がカメラ本体２００から取り外されたことをレンズ検出スイッチ（不図示）によって検出した場合には、ライブビュー表示Ｍ３００から情報表示Ｍ１００に切換わる。
【００４３】
次に、情報表示Ｍ１００の下部階層について説明する。情報表示Ｍ１００で、レリーズ釦２１の半押しを行うと（１Ｒオン）、測光、測距等の撮影準備動作を行い（Ｍ１２０）、さらにレリーズ釦２１の全押しを行うと（２Ｒオン）、ＣＣＤ２２１の出力を読み出し、記録用画像データを記録媒体２４５に記録するノーマル撮影動作を実行する（Ｍ１２１）。撮影動作が終了し、レリーズ釦２１の半押しを解除（１Ｒオフ）すると、情報表示Ｍ１００に戻る。また、メニュー釦２８をオンにすると、カードセット、ドライブモード、フラッシュ補正等を設定するメニュー画面が現われる（Ｍ１３０）。この画面で十字キー３０を操作することによりカーソルを移動させ、好みの項目を選択し、ＯＫ釦３１を押すことによって決定することができる（Ｍ１３１）。メニュー表示Ｍ１３０から、メニュー釦２８またはＯＫ釦３１をオンにすると、情報表示Ｍ１００に戻ることができる。さらに、情報表示Ｍ１００の画面において、モードダイヤル２２、コントロールダイヤル２４や十字キー３０を操作して好みのモード・値に設定できる（Ｍ１４０）。
【００４４】
ライブビュー表示Ｍ３００の下部階層に移って、まず、ライブビュー表示Ｍ３００でメニュー釦２８が押されオンになると、メニュー表示となる（Ｍ３１０）。ここで、十字キー３０を操作し（Ｍ３１１）、好みの項目をＯＫ釦３１によって決定すると、メニュー表示Ｍ３１０に戻る。メニュー表示からは、メニュー釦２８またはＯＫ釦３１をオンとすることにより、ライブビュー表示Ｍ３００に戻ることができる。ライブビュー表示状態で、レリーズ釦２１が半押しされていても、可動反射ミラー２０１が退避状態にありシャッタ２１３が開放状態であるので、特に何も動作しないが、レリーズ釦２１が全押しされ２Ｒがオンとなると、ＣＣＤ２２１からの画像信号に基づいて記録用画像データを記録媒体２４５に記録するライブビュー撮影動作を実行する（Ｍ３２０）。
【００４５】
次に図８を用いてライブビュー表示Ｍ３００のフローを説明する。ライブビュー表示に入ると、まず、ＣＣＤ２２１に電源の供給を開始する（Ｓ６３）。次に、測光素子２１１の出力に基づいて被写体輝度の測光を行い、この測光値に基づいて、シャッタ速度や絞り値等の露出値の演算を行い（Ｓ６５）、可動反射ミラー２０１のミラーアップを行い、撮影光路から退避させる（Ｓ６７、後述する図１２のＴ００参照）。続いて、フォーカルプレーンシャッタ２１３を開放状態とし（Ｓ６９、図１２のＴ０１参照）、被写体像をＣＣＤ２２１上に結像させる。続いて、液晶モニタ２６におけるライブビュー表示の明度を適切に保つためにライブビュー表示条件の設定１のサブルーチンを実行し（Ｓ７１）、ライブビュー表示でのライブビュー表示を開始させる（Ｓ７３）。このステップＳ７３においてライブビュー表示、即ち、ＣＣＤ２２１から出力される画像信号に基づくライブビュー表示を開始する。なお、ライブビュー表示動作の制御は、この開始指示を受けて画像処理回路２２７にて行われる。この後、タイマをスタートさせてステップＳ８１に進む。ここでのタイマの値は後述するステップＳ１４１で判定される。
【００４６】
ステップＳ８１では、レリーズ釦２１が全押しされているか、即ち、２Ｒがオンかを判定し、オンの場合には、撮影動作に進む（図１２のＴ１のタイミング）。まず、液晶モニタ２６に表示されているライブビュー表示を止め、即ちライブビュー表示を停止し（Ｓ８３）、フォーカルプレーンシャッタ２１３の閉じ動作を行い、初期状態に戻す（Ｓ８５）。ついで、ＭＳモータ３０１を反時計方向（ＣＣＷ）に回転させ、シャッタセットレバー３５１を駆動し、図５（Ｂ）（イ）に示すシャッタチャージ状態とする（Ｓ８７、図１２のＴ２）。このとき、可動反射ミラー２０１は、ＭＳモータ３０１は反時計方向に回転しているので、ステップＳ６７でミラーアップしたままの状態を保っている。この後、ライブビュー撮影動作（Ｍ３２０）に移る。詳しくは図９を用いて説明するが、このサブルーチンでは、シャッタ２１３を開放し、ＣＣＤ２２１による撮像動作を行った後、絞り１０３とシャッタ２１３を初期位置に戻す。このライブビュー撮影動作が終了すると、ステップ６９に戻り、前述のステップを繰り返す。
【００４７】
ステップＳ８１に戻り、２Ｒがオフの場合にはステップＳ９１に進み、プレビュー釦３６がオンか否かを判定する。オンだった場合にはプレビュー動作に入り、その準備としてライブビュー表示の固定を行う（Ｓ９３）。これは絞込み時に画像の明るさが不自然に変化することを防止するためである。この後、ライブビュープレビュー（Ｍ３３０）に進み、絞り１０３を設定値に絞り込んだ状態で、ＣＣＤ２２１の出力に基づいて液晶モニタ２６に被写体像をライブビュー表示する。
【００４８】
ステップＳ８１に戻り、２Ｒがオフでプレビュー釦３６がオフだった場合には、ステップＳ１０１に進み表示切換釦３４がオンか否かの判定を行う。オンだった場合には、情報表示Ｍ１００に戻るが、その前にライブビュー表示を終了するための処理をＳ１０３からＳ１０９にて行う。まず、ライブビュー表示を停止し（Ｓ１０３）、フォーカルプレーンシャッタ２１３を閉じ、可動反射ミラー２０１を退避位置からファインダ光学系に光束を反射する位置に復帰させ（Ｓ１０７）、ＣＣＤ２２１の電源をオフする（Ｓ１０９）。これらの動作が終了すると、情報表示Ｍ１００に移る。
【００４９】
ステップＳ１０１に戻り、表示切換釦３４がオフだった場合には、ステップＳ１１１に進みメニュー釦２８がオンか否かを判定する。判定の結果、オンだった場合には、メニュー表示Ｍ３１０表示を行うが、その前にライブビュー表示を停止するための処理をステップＳ１１３からＳ１１９にて行う。この処理は、前述のステップＳ１０３からＳ１０９と同様であるので、説明は省略する。
【００５０】
ステップＳ１１１に戻り、判定の結果、オフだった場合には、ステップＳ１３１に進み、カメラ本体２００からレンズ鏡筒１００が外されたか否かを、レンズ検出スイッチ〈不図示〉の出力に基づいて判定する。判定の結果Ｙｅｓだった場合、即ち、レンズ鏡筒１００が取り外された場合には、情報表示Ｍ１００を行う。ライブビュー表示では、可動反射ミラー２０１が撮影光路から退避し、フォーカルプレーンシャッタ２１３が開放状態となっている。このため、ＣＣＤ２２１が外部に直接、露出した状態となってしまい、塵芥等が付着するおそれがある。したがって、ライブビュー表示Ｍ３００を終了することによって、ＣＣＤ２２１の撮像面に塵芥等が付着することを防止する。ライブビュー表示を終了するために、ステップＳ１３３からＳ１３９にて処理を行うが、これらのステップは前述のステップＳ１０３からＳ１０９と同様であるので、説明は省略する。
【００５１】
ステップＳ１３１に戻り、判定の結果、Ｎｏだった場合には、レンズ鏡筒１００は装着されたままであり、ステップＳ１４１に進み、ステップＳ７５でスタートしたタイマの値が、所定時間、経過したか否かを判定する。判定の結果、所定時間が経過していない場合には、ステップＳ１４３にて、ライブビュー条件の設定２のサブルーチンを実行した後、前述のステップＳ８１に進む。一方、所定時間が経過した場合には、ライブビュー表示を終了し、情報表示Ｍ１００を行うために、ステップＳ１３３に進む。このように、ライブビュー表示が所定時間経過すると終了するようにしているのは、ライブビュー表示を長時間連続すると、ＣＣＤ２２１が発熱し、その出力画像にノイズが発生するおそれがあるためである。
【００５２】
次に、ライブビュー撮影動作Ｍ３２０の動作について、図９に示すフローチャートおよび図１１、図１２のタイムチャートを用いて説明する。まず、ステップＳ３３１においてシャッタ幕を保持するマグネットＭｇに通電し（図１２のＴ３）、シャッタ幕を吸着した後、ＭＳモータ３０１を反時計方向（ＣＣＷ）に駆動し（図１２のＴ４）、シャッタチャージカム３５５を退避位置とし、シャッタセットレバー２１３ｂを退避させる（図５（Ｂ）の（ア）の状態）。続いて、ステップＳ３３３において、シャッタ先幕を保持する先幕マグネットＭｇの通電を停止し、先幕の走行を開始させる（図１２のＴ５）。先幕走行開始と同時に露出時間の計時を開始する（Ｓ３３５）。露出時間は前述の測光センサ２１１の出力に基づいてステップＳ６５において演算されたシャッタ速度値に基づいて決定される。この露出時間が経過すると、ステップＳ３３７に進み、シャッタ後幕を保持する後幕マグネットＭｇの通電を停止し、シャッタ後幕の走行を開始させる（図１２のＴ６）。
【００５３】
ステップＳ３３９に進み、シャッタ後幕が走行終了するまでの時間（例えば、１０ｍＳ程度）を計時し、この時間が経過するとステップＳ３４１に進む。ここで、ＭＳモータ３０１を再び反時計方向（ＣＣＷ）に駆動し、シャッタチャージを行い、図５（Ｂ）の（イ）の状態とする（図１３のＴ９）。続いて、ＣＣＤ２２１における被写体像の光電変換信号に基づく撮像データの転送を行う（Ｓ３４３）。なお、本実施形態では、ステップＳ３４１におけるシャッタチャージ動作が終了してから撮像データの転送を行っているが、両ステップを同時に処理しても構わない。次に、先幕マグネットＭｇおよび後幕マグネットＭｇに通電し、シャッタ幕を吸着・保持する。その後、ＭＳモータ３０１を反時計方向（ＣＣＷ）に駆動し、これによってシャッタチャージカム３５５の退避を行う（Ｓ３４５、図５（Ｂ）の（ア）の状態、図１３のＴ１１）。続いて、ステップＳ３４７で転送された撮像データに基づいて、液晶２６に撮影された被写体像を所定時間の間、再生・表示する。
【００５４】
所定時間の画像の再生が終了すると、図９に示すライブビュー表示のフローのステップＳ６９に戻り、ライブビュー表示の再開を行う。ステップＳ６９に戻ると、まずＭＳモータ３０１を反時計方向（ＣＣＷ）に駆動しシャッタチャージを行う（図１３のＴ９）。続いて、シャッタ幕を保持するマグネットＭｇに通電し、吸着・保持させた（図１３のＴ１０）後に、再びＭＳモータ３０１を反時計方向（ＣＣＷ）駆動し、シャッタチャージカム３５５を退避位置に移動させる（図１３のＴ１１）。この状態でシャッタ先幕を保持するマグネットＭｇのみの通電を停止し、シャッタ先幕の走行を開始させる（図１３のＴ１２）。これで、ＣＣＤ２２１上に被写体像が結像されるので、ライブビュー表示が可能となり、ステップＳ７３からライブビュー表示が開始される。
【００５５】
このように本実施形態では、ライブビュー表示Ｍ３００を行っている際に、レリーズ釦２１が操作され２Ｒがオンとなり撮影動作を行う場合には、ＭＳモータ３０１を反時計方向（ＣＣＷ）に駆動することにより、シャッタチャージのみを行い、可動反射ミラー２０１の駆動動作は行わないようにしたので、可動反射ミラーの駆動に伴う音をなくすことができ、撮影に伴って発生する音量を少なくすることができる。
【００５６】
ライブビュー表示Ｍ３００を行っている際に、表示切換釦３４が操作されるか（Ｓ１０１）、レンズが取り外されると（Ｓ１３１）、情報表示Ｍ１００に戻り、またメニュー釦２８が操作されるとメニュー表示Ｍ３１０に移る。このとき、ライブビュー表示Ｍ３００が解除されるが、このときのシャッタ・ミラー駆動ユニット３０３における動作を図１３のタイムチャートを用いて説明する。ライブビュー表示の解除にあたっては、まずライブビュー表示の停止を行う（Ｓ１０３、Ｓ１１３、Ｓ１３３、図１３のＴ２１）。それから、後幕マグネットＭｇの通電を停止し、ＭＳモータ３０１を時計方向（ＣＷ）に回転させ、これによってシャッタセットレバー２１３ｂとミラー系チャージレバー３５５の両レバーを駆動することによって、シャッタチャージとミラーダウンを行う（図１３のＴ２２）。
【００５７】
次に、ノーマル撮影動作Ｍ１２１の動作について、図１０に示すフローチャートと図１４に示すタイムチャートを用いて説明する。情報表示Ｍ１００の状態では、液晶モニタ２６にライブビュー表示はなされておらず、レリーズ釦２１の全押しがなされ、２Ｒがオンとなるとノーマル撮影動作Ｍ１２１を開始する。まず、ＣＣＤ２２１に電源の供給を開始し（Ｓ３６１）、シャッタ先幕および後幕を保持するマグネットＭｇに通電し、両シャッタ幕を吸着・保持する（図１４のＴ３１）。続いて、ＭＳモータ３０１を時計方向（ＣＷ）に駆動する。時計方向への駆動により、ミラーチャージカム３５３とミラー系チャージレバー３５１およびシャッタチャージカム３５５はそれぞれ駆動される（Ｔ３２）。これによって、可動反射ミラー２０１はダウン状態からアップ状態となり、またシャッタチャージカム３５５は退避領域でシャッタチャージレバー３６１と係合する（図５（Ｂ）の（ア））。続いて、シャッタ先幕を保持している先幕マグネットＭｇの給電を停止し、シャッタ先幕の走行を開始させる（Ｓ３６５、Ｔ３３）。
【００５８】
先幕走行開始から露光時間を計時し（Ｓ３６７）、予め演算された露出時間が経過すると、シャッタ後幕保持している後幕マグネットＭｇの給電を停止し、シャッタ後幕の走行を開始させる（Ｓ３６９、Ｔ３４）。シャッタ後幕の走行が終了するまでの時間だけ待つ（例えば、１０ｍＳ程度）（Ｓ３７１）。この時間が経過すると、ＭＳモータ３０１を時計方向（ＣＷ）に駆動する（Ｓ３７３、Ｔ３５）。これにより、ミラー系チャージレバー３５１とシャッタセットレバー２１３ｂはそれぞれ駆動され、可動反射ミラー２０１はアップ状態からダウン状態となり、またシャッタチャージカム３５５はシャッタチャージレバー３６１を介してシャッタチャージ動作を行う。続いて、ＣＣＤ２２１における被写体像の光電変換信号に基づく撮像データの転送を行う（Ｓ３７５）。なお、本実施形態では、ステップＳ３７３におけるミラーダウン動作とシャッタチャージ動作が終了してから撮像データの転送を行っているが、ライブビュー撮影の場合と同様に、両ステップを同時に処理しても構わない。この後、ＣＣＤ２２１の電源供給を停止し（Ｓ３７７）、ステップＳ３７５で転送された撮像データに基づいて、液晶２６に撮影された被写体像を所定時間の間、再生・表示する（Ｓ３７９）。表示が終了すると、情報表示Ｍ１００に戻る。
【００５９】
このように、本実施形態におけるノーマル撮影動作においては、情報表示Ｍ１００を行っている際に、レリーズ釦２１が操作され２Ｒがオンとなり撮影動作を行う場合には、ＭＳモータ３０１を時計方向（ＣＷ）に駆動することにより、ミラーアップ動作とシャッタチャージを行っている。ライブビュー撮影動作Ｍ３２０とは異なり、ミラーアップ動作を行うのは、情報表示Ｍ１００においては、ライブビュー表示を行っておらず、光学ファインダによって被写体像を観察するために、可動反射ミラー２０１はミラーダウン状態にある。このため、撮影を行うために、ミラーアップ状態にする必要があるからである。
【００６０】
次に、「ライブビュー条件の設定１」と「ライブビュー条件設定２」について図１１を用いて説明する。このサブルーチンは前述したように、液晶モニタ２６に被写体画像を表示する際の画像明度の調整を行うためのものである。まず、ライブビュー条件設定１のサブルーチンに入ると、ステップＳ２０１において、測光センサ２８１の出力ＢＶｓに基づいて次回撮像時の電子シャッタスピードＴＶ１と感度ＳＶ１の決定を行う。ライブビュー表示時における絞り値は開放絞りであるので、この絞り値をＡＶｓとすると、
ＡＶｓ＋ＴＶ１＝ＢＶｓ＋ＳＶ１
の関係があり、
ＢＶｓ−ＡＶｓ＝ＴＶ１−ＳＶ１
となる。この式の左辺は既知の値であるので、左辺の値からＴＶ１とＳＶ１を適宜、プログラムラインやテーブルに従って求めればよい。この後、決定された電子シャッタスピードＴＶ１と感度ＳＶ１をそれぞれのレジスタに記憶・設定する（Ｓ２０７）。ＣＣＤ駆動回路２２３は、ここで設定・記憶されたＴＶ１とＳＶ１に基づいてＣＣＤ２２１の駆動制御を行い、ＣＣＤ２２１からの光電変換信号の読み出しを行う。ステップＳ２０７にてＴＶ１およびＳＶ１の設定が終了すると元のフローに戻る。
【００６１】
次に、「ライブビュー条件設定２」を説明する。設定２のサブルーチンに入ると、まず、狙いの画像明度（所定値）と前回撮像時の画像明度との差ΔＥＶを算出する（Ｓ２０３）。続いて、画像明度が一定となるように、次回撮像時の電子シャッタスピードＴＶ１と感度ＳＶ１を決定する（Ｓ２０５）。この決定にあたっては、次の要素から求める。
・開放絞り値ＡＶｓ
・前回撮像時の電子シャッタスピードＴＶ０
・前回撮像時の感度ＳＶ０
・狙いの画像明度と前回撮像時の画像明度との差ΔＥＶ
まず、露出条件の基本式として
ＡＶｓ＋ＴＶ０＝ＢＶ０＋ＳＶ０  
である。
【００６２】
ここで、ＢＶ０は前回の輝度であるが、真の値は分からず、上記基本式では仮の値としている。真の輝度値ＢＶ０は、狙いとの差、即ち、ΔＥＶだけ外れていることから、
ＢＶ０＝ＡＶｓ＋ＴＶ０−ＳＶ０＋ΔＥＶ
＝ＡＶ１＋ＴＶ１−ＳＶ１
となり、この関係式からＴＶ１とＳＶ１を求める。ここで、差ΔＥＶは、例えば、撮像素子の各画素の出力の加重平均と狙いとする値との差から求めればよい。このステップＳ２０５を終了すると、前述したステップＳ２０７に進み、元のフローに戻る。
【００６３】
本実施形態においては、画像記録用の撮像素子として用いられるＣＣＤ２２１の出力に基づいて液晶モニタ２６にライブビュー表示していることから、被写体像の観察が容易であると共に、この液晶モニタ２６にライブビュー表示している際に、レリーズ釦２１が全押しされて撮影動作に移行した場合に、可動反射ミラー２０１についてのアップ・ダウン動作を行わず、シャッタチャージのみを行うようにしたので、撮影にあたって、機械的に発生する音量を最小限にすることができる。
また、本実施形態では、撮影が終了した後にライブビュー表示に復帰する際に、可動反射ミラー２０１のアップ・ダウン動作を行わず、シャッタ２１３のシャッタチャージのみを行ってから、シャッタを開放するようにし、不必要な可動反射ミラー２０１の駆動を行わないことから、機械的に発生する音量を最小限に抑えることができる。
さらに、本実施形態では、ライブビュー撮影であっても、一旦、シャッタ２１３の閉じ動作を行ってから、シャッタ開放動作を行うようにしているので、撮像素子に発生するスニアの発生を防止することができる。
【００６４】
本実施形態では、ＭＳモータ３０１の一方向（時計方向）の回転で可動反射ミラー２０１のアップ・ダウン動作とシャッタチャージの両方を行い、他方向（反時計方向）の回転でシャッタチャージのみを行うようにしたので、駆動源として用いられる一つのモータでもって、二つの動作を行うことができ、コストを安価することができる。
また、本実施形態では、遊星歯車機構を用いて駆動力の伝達の切換を行うようにしたので、簡単な構成で行うことができ、コストを安価にすることができる。
さらに、本実施形態では、シャッタチャージカム３５５とミラーチャージカム３５３の２つのカムに分けたので、それぞれの動作の自由度を高めることができる。
【００６５】
なお、本実施形態では、可動反射ミラー２０１はファインダ光学系と撮像素子に光路を切り換えていたが、これに限らず、例えば、画像記録用の撮像素子と被写体像観察用の撮像素子とに切り換えるように構成しても勿論、本発明を適用することができる。
【００６６】
また、本実施形態では、駆動源であるＭＳモータ３０１の駆動力をメインギア３１３、キャリア３１５、遊星ギア３１７、３２３を用いて伝達方向を切り換えていたが、これに限らず、例えば、ギアそのものを直接移動させ噛合を解除する等により行っても良い。
さらに、本実施形態では、シャッタチャージカム３５５とミラーチャージカム３５３の２つのカムに分けていたが、これに限らず、一つのカムをシャッタチャージ用とミラーチャージ用に分けて使うようにしても構わない。さらに、本実施形態では、撮像素子はＣＣＤ２２１の一つであったが、複数の撮像素子の出力を切り換えてライブビュー表示するようなカメラであっても適用できることは勿論である。
【００６７】
以上述べたように、本実施形態では、ＭＳモータ３０１と、撮像素子（ＣＣＤ２２１）と、この撮像素子の前方に配置された撮影レンズ１０１、１０２からの被写体光を反射するための第１の位置（ダウン位置）と、撮影レンズ１０１、１０２からの被写体光を撮像素子に導くため撮影レンズの光路から退避した第２の位置（アップ位置）とに移動可能な可動反射ミラー２０１と、撮像素子（ＣＣＤ２２１）と可動反射ミラー２０１の間に配置されたシャッタ２１３と、このシャッタをチャージする第１の駆動手段（例えば、ギア３２５〜ギア３３３、シャッタチャージカム３５５、カムギア３５９、シャッタチャージレバー３６１、シャッタセットレバー２１３ｂ）と、可動反射ミラー２０１を駆動する第２の駆動手段（例えば、ギア３１９、３２１、カムギア３５７、ミラーチャージカム３５３、ミラー系チャージレバー３５１、ミラー駆動レバー３４１）と、ＭＳモータ３０１の一方向の回転（ＣＷ方向）により第１の駆動手段と第２の駆動手段を駆動し、ＭＳモータ３０１の他方向（ＣＣＷ方向）の回転により第１の駆動手段のみを駆動する第３の駆動手段（例えば、メインギア３１３、キャリア３１５、遊星ギア３１７、３２３）を備えたので、ライブビューを行っている際に撮影動作に入るときには、シャッタチャージのみ行い、不必要な可動反射ミラーの駆動を行わないようにすることができ、耳障りな音を減らすことができる。
【００６８】
また、本実施形態では、撮影レンズ１０１、１０２の撮影光路上の第１の位置（ダウン位置）と、この撮影光路上から退避した第２の位置（アップ位置）とに可動可能な可動反射ミラー２０１と、撮影レンズの撮影光路上に配置され、上記撮影レンズによって結像される被写体像を受光し、光電変換信号を出力する撮像素子（ＣＣＤ２２１）と、この撮像素子と可動反射ミラー２０１との間に配置され、撮像素子上への被写体像の露光時間を制御するためのシャッタ２１３と、光電変換信号に基づいて被写体像をライブビュー表示するための表示装置（液晶モニタ２６）と、ライブビュー表示を行うにあたって、可動反射ミラー２０１を第２の位置（アップ位置）に駆動する（Ｓ６７、Ｔ００）と共にシャッタ２１３を開放状態に駆動し（Ｓ６９、Ｔ０１）、ライブビュー表示において撮影動作の指示があった際に（Ｓ８１、Ｔ１）、可動反射ミラー２０１の第２の位置（アップ位置）を保持したままシャッタ２１３のチャージ動作（Ｓ８７、Ｔ２）を行ってから露光時間の制御（Ｓ３３３〜Ｓ３３７、Ｔ５，Ｔ６）を行う駆動制御手段（ボディＣＰＵ２２）を備えたので、ライブビューを行うにあたっては、可動反射ミラーの駆動とシャッタチャージを行い、またライブビューにおいて撮影動作に入るときにはシャッタチャージのみしか行わないので、耳障りな音を減らすことができる。
【図面の簡単な説明】
【００６９】
【図１】本発明の一実施形態に係わるデジタル一眼レフカメラの外観斜視図である。
【図２】本発明の一実施形態に係わるデジタル一眼レフカメラの内部機構の概略構成を示すブロック図であり、（Ａ）は撮影レンズの光軸方向に沿った内部構成を、（Ｂ）はカメラ本体２００の正面方向からみた内部構成を示すブロック図である。
【図３】本発明の一実施形態に係わるデジタル一眼レフカメラのシャッタ・ミラー駆動ユニットを示す図であり、（Ａ）はシャッタ・ミラー駆動ユニットの部分詳細図であり、（Ｂ）はＭＳモータの回転方向と駆動力の伝達方向の関係を示す図である。
【図４】本発明の一実施形態に係わるデジタル一眼レフカメラのシャッタ・ミラー駆動ユニットの部分詳細図である。
【図５】本発明の一実施形態に係わるデジタル一眼レフカメラのシャッタと可動反射ミラーを示す図であって、（Ａ）はシャッタの斜視図であり、（Ｂ）はシャッタの正面図、（Ｃ）は可動反射ミラーの斜視図、（Ｄ）は可動反射ミラーのミラーダウン状態を示し、（Ｅ）は可動反射ミラーのミラーアップ状態を示す図である。
【図６】本発明の一実施形態に係るデジタル一眼レフカメラの主として電気系の全体構成を示すブロック図である。
【図７】本発明の一実施形態におけるデジタル一眼レフカメラの表示モードおよびその動作モード・メニューの階層構造を示すブロック図である。
【図８】本発明の一実施形態におけるデジタル一眼レフカメラのライブビュー表示のフローチャートである。
【図９】本発明の一実施形態におけるデジタル一眼レフカメラのライブビュー撮影動作のフローチャートである。
【図１０】本発明の一実施形態におけるデジタル一眼レフカメラのノーマル撮影動作のフローチャートである。
【図１１】本発明の一実施形態におけるライブビュー条件の設定１とライブビュー条件の設定２のフローチャートである。
【図１２】本発明の一実施形態におけるデジタル一眼レフカメラのライブビュー表示のタイムチャートであり、後幕走行終了までを示す。
【図１３】本発明の一実施形態におけるデジタル一眼レフカメラのライブビュー表示のタイムチャートであり、後幕走行終了後を示す。
【図１４】本発明の一実施形態におけるデジタル一眼レフカメラのノーマル撮影動作のタイムチャートである。
【図１５】本発明の一実施形態において、被写体像の表示を示し、（Ａ）は光学ファインダにおける被写体像、（Ｂ）は液晶モニタでのライブビュー表示における被写体像を示す図である。
【符号の説明】
【００７０】
２１  レリーズ釦
２４  コントロールスイッチ
２６  液晶モニタ
２７  再生釦
２８  メニュー釦
３０  十字キー
３１  ＯＫ釦
３３  ファインダ
３４  表示切換釦
３６  プレビュー釦
１００  レンズ鏡筒
２００  カメラ本体
２０１  可動反射ミラー
２１３  フォーカルプレーンシャッタ
２１３ｂ  シャッタセットレバー
２２１  ＣＣＤ
２２９  ボディＣＰＵ
２７９  ファインダ内ＣＣＤ
２２７  画像処理回路
２８５  ＣＣＤ切換回路
３０１  ＭＳモータ
３０３  シャッタ・ミラー駆動ユニット
３１３  メインギア
３１５  アーム
３１７  遊星ギア
３１９  遊星ギア
３４１  ミラー駆動レバー
３５３  ミラーチャージカム
３５５  シャッタチャージカム
３６１  シャッタチャージレバー
【図２】
2007298741.tif 000003
【図４】
2007298741.tif 000004
【図５】
2007298741.tif 000005
【図１】
2007298741.tif 000006
【図３】
2007298741.tif 000007
【図６】
2007298741.tif 000008
【図７】
2007298741.tif 000009
【図８】
2007298741.tif 000010
【図９】
2007298741.tif 000011
【図１０】
2007298741.tif 000012
【図１１】
2007298741.tif 000013
【図１２】
2007298741.tif 000014
【図１３】
2007298741.tif 000015
【図１４】
2007298741.tif 000016
【図１５】
2007298741.tif 000017